(57)【要約】【課題】  従来は、同一の力で印打する場合に発射槌に加えられた力が、軸受けの負荷により遊技球に加えられるべきエネルギーにロスが発生し、飛び力が弱められ、遊技球の飛びにバラツキが出てきてしまい、常に飛び位置を一定にコントロールするためには、その時々に飛び位置の設定を変化させなければならず、遊技者にとって不愉快であるという問題があった。【解決手段】  遊技球を印打発射する遊技機において、印打発射する印打部材の軸受け１又は軸受け１近傍に予熱部材４を設け、該予熱部材４の近傍に温度センサを組み込み、軸受け１を一定の温度に保つようにした軸受け１に予熱部材４を設けた遊技球発射ユニットを用いることで解決することができる。【選択図】図１
2005304648.tif 000002
【特許請求の範囲】
【請求項１】
遊技球を印打発射する遊技機において、印打発射する印打部材の軸受け又は軸受け近傍に予熱部材を設け、低温時の軸受けの粘性摩擦による負荷ロスを低減することを特徴とする軸受けに予熱部材を設けた遊技球発射ユニット。
【請求項２】
遊技球を印打発射する遊技機において、印打発射する印打部材の軸受け又は軸受け近傍に予熱部材を設け、該予熱部材の近傍に温度センサを組み込み、軸受けを一定の温度に保つようにしたことを特徴とする軸受けに予熱部材を設けた遊技球発射ユニット。
【発明の詳細な説明】
【技術分野】
【０００１】
本発明は、遊技機の遊技球発射ユニットの軸受け部に予熱部材を設け、印打発射の精度を高める遊技球発射ユニットに関するものである。
【背景技術】
【０００２】
遊技機の遊技球発射ユニットで使用する潤滑剤にオイルやグリス等を使用した軸受けにおいては、その潤滑剤の粘性の温度特性により摩擦負荷となり、その摩擦負荷は温度によって変化をするものである。
例えば、ボールベアリングなどの軸受けにおいては、潤滑用にグリス等が充填されている。これは、早朝など温度の低い時間での始動時は、潤滑剤の粘性が高く、より多くの負荷となって動作の妨げをする。
つまり、発射槌により印打発射する遊技機の発射槌部に組み込まれた軸受けにおいては、このような潤滑剤の粘性負荷が発射力に負荷となって影響を与えている。
【発明の開示】
【発明が解決しようとする課題】
【０００３】
しかしながら、前記のように軸受けに潤滑剤を使用していると、同一の力で印打するように発射槌に加えられた力が、軸受けの負荷により遊技球に加えられるべきエネルギーのロスとなり、飛び力が弱められてしまう。この状態が続くのであれば、発射槌に加える力を強くすれば解決する問題であるが、そのまま遊技を継続すると、軸受け回りの温度が徐々に上昇して温度飽和し、軸受けの摩擦負荷が一定になっていき、最終的に安定する。つまり、遊技機において、この間のエネルギーロスの変化が及ぼす飛び力のバラツキが、遊技初期時に飛び位置を設定しても徐々に飛びが強くなってしまうという現象となり、常に飛び位置を一定にコントロールするためには、その時々に飛び位置の設定を変化させなければならず、遊技者にとって不愉快であるという問題があった。
この問題は、軸受け潤滑剤による発射槌へのロスとなる負荷を常に一定にするために、軸受けの温度を一定にして潤滑剤の粘性を安定させることで解決することが出来る。
そこで、本発明に係る本発明に係る軸受けに予熱部材を設けた遊技球発射は、軸受けの温度を常に通常の連続動作時とほぼ同程度の温度に保たせるため、軸受け又は軸受け近傍が常に一定の温度となるように予熱部材を設けたものである。
【課題を解決するための手段】
【０００４】
上記課題を解決するための本発明の第１発明は、請求項１に記載された通りの軸受けに予熱部材を設けた遊技球発射ユニットであり、次のようなものである。
遊技球を印打発射する遊技機において、印打発射する印打部材の軸受け又は軸受け近傍に予熱部材を設け、低温時の軸受けの粘性摩擦による負荷ロスを低減する構成である。
【０００５】
上記課題を解決するための本発明の第２発明は、請求項２に記載された通りの軸受けに予熱部材を設けた遊技球発射ユニットであり、次のようなものである。
遊技球を印打発射する遊技機において、印打発射する印打部材の軸受け又は軸受け近傍に予熱部材を設け、軸受けの近傍に温度センサを組み込み、軸受けを一定の温度に保つようにする構成である。
【発明の効果】
【０００６】
本発明に係る軸受けに予熱部材を設けた遊技球発射ユニットは、上記説明のような構成であるので、以下に記載する効果を奏する。
（１）軸受け潤滑剤の温度による負荷が一定になったため、いつでも安定した遊技球の飛び調整が可能となる。
（２）予熱部材によりコイルも予熱される場合は、遊技機の通常の駆動によって生じるコイル温度上昇による出力低下による飛びムラの発生を無くすことができる。
【発明を実施するための最良の形態】
【０００７】
遊技機の印打発射する印打部材の軸受け又は軸受け近傍に予熱部材を設け、軸受けの近傍に温度センサを組み込み、軸受けを一定の温度に保つようにする軸受部に予熱部材を設けた遊技球発射ユニット。
【実施例】
【０００８】
以下、本発明の各実施例を図面を用いて詳細に説明する。
図１は、本発明に係る軸受けに予熱部材を設けた遊技球発射ユニットの第一実施例を示す正面図、図２は、同第一実施例の平面図、図３は、本発明に係る軸受けに予熱部材を設けた遊技球発射ユニットの第二実施例を示す断面図、図４は同第二実施例の正面図、図５は、本発明に係る軸受けに予熱部材を設けた遊技球発射ユニットの第三実施例を示す正面図、図６は同第三実施例の断面図、図７は、同第三実施例の背面図、図８は、本発明に係る軸受けに予熱部材を設けた遊技球発射ユニットの第四実施例を示す断面図である。
【０００９】
図１、図２に示した第一実施例は、アクチュエータ６の軸受け１の取付板３に予熱部材４を取り付けたものであり、この予熱部材４で、軸受け１を常に一定の温度に保つことができ、印打発射槌２による遊技球の飛びムラを無くすことができる。
なお、この予熱部材４は取付板３とアクチュエータ６の間にも取り付けることが可能である。
図３、図４に示した第二実施例は、ベアリング７外周の近傍に予熱部材４と温度センサ５を組み込んだロータリーソレノイドであり、軸受け１を常に一定の温度に保つことができ、印打発射槌２による遊技球の飛びムラを無くすことができる。
なお、１０はロータリーソレノイドのロータ、１１はロータリーソレノイドのコイルである。
図５〜図７に示した第三実施例は、ベアリング７の外側にあるベアリングスリーブ８の外周に予熱部材４と温度センサ５を取り付けたものであり、軸受け１を常に一定の温度に保つことができ、印打発射槌２による遊技球の飛びムラを無くすことができる。
なお、１２はストッパーである。
図８に示した第四実施例は、ロータリーソレノイドのコイルボビン９に予熱部材４を組み込んだものであり、軸受け１を常に一定の温度に保つことができ、印打発射槌２による遊技球の飛びムラを無くすことができる。
なお、第三、第四実施例のように予熱部材４と温度センサ５をセットにしたものは、予熱部材４の容量が大きくなく、温度飽和で予熱条件（飛びムラの無くすための温度）が満たされる容量の予熱部材４を選択すれば、温度センサ５は省略できるものである。
【００１０】
また、電磁アクチュエータの軸受けが印打発射部材の軸受けと同一か、又は印打発射部材の軸受けが独立していても、非常に近傍の場合電磁アクチュエータを微少エネルギーで通電することにより発生する熱により予熱する方法も考えられる。
さらに、電磁アクチュエータに温度センサを組み込む方法、またコイル抵抗の変化分は温度に対して一定の関数を持っているので、このコイル抵抗の変化分を温度センサとして利用する方法も考えられる。
また、実施例ではベアリングであるが、含油軸受けでも有効である。また、直線動作方式でも軸受けのオイルやグリスにより粘性摩擦の影響を受けるタイプには有効である。
【産業上の利用可能性】
【００１１】
現在、稼動している遊技機、及び新規の遊技機の遊技球発射装置に取り付けることができ、遊技者にとって気持ちよく遊技をしていただくための手段のひとつとして利用することができる。
【図面の簡単な説明】
【００１２】
【図１】本発明に係る軸受けに予熱部材を設けた遊技球発射ユニットの第一実施例を示す正面図である。
【図２】同第一実施例の平面図である。
【図３】本発明に係る軸受けに予熱部材を設けた遊技球発射ユニットの第二実施例を示す断面図である。
【図４】同第二実施例の正面図である。
【図５】本発明に係る軸受けに予熱部材を設けた遊技球発射ユニットの第三実施例を正面図である。
【図６】同第三実施例の断面図である。
【図７】同第三実施例の背面図である。
【図８】本発明に係る軸受けに予熱部材を設けた遊技球発射ユニットの第四実施例を示す断面図である。
【符号の説明】
【００１３】
１・・・・軸受け                            ２・・・・印打発射槌
３・・・・取付板                            ４・・・・予熱部材
５・・・・温度センサ                        ６・・・・アクチュエータ
７・・・・ベアリング                        ８・・・・ベアリングスリーブ
９・・・・コイルボビン                    １０・・・・ロータ
１１・・・・コイル                          １２・・・・ストッパー
【図１】
2005304648.tif 000003
【図２】
2005304648.tif 000004
【図３】
2005304648.tif 000005
【図４】
2005304648.tif 000006
【図５】
2005304648.tif 000007
【図６】
2005304648.tif 000008
【図７】
2005304648.tif 000009
【図８】
2005304648.tif 000010